(57)【要約】【課題】記録直後にカールした被記録媒体が記録装置の構成部材の一部と干渉することを抑制するとともに、装置を大型化させることなく吸引ユニットとワイピングユニットとを収容可能な記録装置を提供する。【解決手段】被記録媒体を支持面で支持して搬送する搬送機構と、前記支持面に対向する領域に配置され、インク吐出面に設けられたノズルから前記被記録媒体にインクを吐出可能な記録ヘッドと、前記ノズル内のインクを吸引可能な吸引ユニットと、前記吸引ユニットとは別体として設けられ、前記インク吐出面をワイピング可能なワイピングユニットと、を備え、前記吸引ユニット及び前記ワイピングユニットの少なくとも一方は、前記記録ヘッドよりも前記被記録媒体の搬送方向の下流側に備えられているとともに、前記支持面との間隔が前記インク吐出面と前記支持面との間隔よりも広い。【選択図】図１
2014184696.tif 000002
【特許請求の範囲】
【請求項１】
被記録媒体を支持面で支持して搬送する搬送機構と、
前記支持面に対向する領域に配置され、インク吐出面に設けられたノズルから前記被記録媒体にインクを吐出可能な記録ヘッドと、
前記ノズル内のインクを吸引可能な吸引ユニットと、
前記吸引ユニットとは別体として設けられ、前記インク吐出面をワイピング可能なワイピングユニットと、を備え、
前記吸引ユニット及び前記ワイピングユニットの少なくとも一方は、前記記録ヘッドよりも前記被記録媒体の搬送方向の下流側に備えられているとともに、前記支持面との間隔が前記インク吐出面と前記支持面との間隔よりも広いことを特徴とする記録装置。
【請求項２】
請求項１に記載の記録装置において、
前記吸引ユニット及び前記ワイピングユニットの一方は前記記録ヘッドよりも前記搬送方向の上流側に備えられ、他方は前記記録ヘッドよりも前記搬送方向の下流側に備えられていることを特徴とする記録装置。
【請求項３】
請求項１又は２に記載の記録装置において、
前記搬送機構は、前記被記録媒体を支持可能な無端ベルトを有することを特徴とする記録装置。
【請求項４】
請求項３に記載の記録装置において、
前記記録ヘッドは、前記無端ベルトの前記被記録媒体を搬送する領域に対向する領域内における前記被記録媒体の搬送方向の上流側に配置されていることを特徴とする記録装置。
【請求項５】
請求項１から４のいずれか１項に記載の記録装置において、
前記記録ヘッドを前記支持面と接近及び離間する方向に移動可能な第１移動機構と、
前記吸引ユニットを移動可能な第２移動機構と、
前記ワイピングユニットを移動可能な第３移動機構と、
前記ノズル内のインクを吸引する場合、前記記録ヘッドを前記支持面から離間させる方向に移動させるよう前記第１移動機構を制御し、前記吸引ユニットを前記インク吐出面と対向する吸引位置に移動させるよう前記第２移動機構を制御するとともに、
前記インク吐出面をワイピングする場合、前記吸引ユニットを前記記録ヘッドの下方に位置させるよう前記第２移動機構を制御し、前記ワイピングユニットを前記インク吐出面と対向する位置に移動させるよう前記第３移動機構を制御する制御部と、を備えることを特徴とする記録装置。
【請求項６】
請求項１から５のいずれか１項に記載の記録装置において、
前記ワイピングユニットは、ワイピング部材を有し、該ワイピング部材は交換可能であることを特徴とする記録装置。
【請求項７】
請求項１から６のいずれか１項に記載の記録装置において、
前記ノズルから前記インクが吐出されることにより記録がなされた前記被記録媒体を反転して排出する排出機構を備えることを特徴とする記録装置。
【請求項８】
請求項１から７のいずれか１項に記載の記録装置において、
前記記録ヘッドは、ラインヘッドであることを特徴とする記録装置。
【請求項９】
請求項１から８のいずれか１項に記載の記録装置において、
前記インクは、水を２０質量％以上７０質量％以下の範囲で含む、ことを特徴とする記録装置。
【発明の詳細な説明】
【技術分野】
【０００１】
本発明は、記録ヘッドのインク吐出面に設けられたノズルからインクを吐出して被記録媒体に記録する記録装置に関する。
【背景技術】
【０００２】
従来から、記録ヘッドのインク吐出面に設けられたノズルからインクを吐出して被記録媒体に記録する記録装置が使用されている。このような記録装置のうち、ノズル内のインクを吸引可能な吸引ユニットと、インク吐出面をワイピング可能なワイピングユニットとを備えた記録装置が多く使用されている。例えば、特許文献１には、吸引ユニットとワイピングユニットとが一体となったメンテナンスユニットを備える液滴吐出装置が開示されている。  
一方、記録装置の設置場所の選択範囲が広がるため、記録装置の小型化が求められている。
【先行技術文献】
【特許文献】
【０００３】
【特許文献１】特開２００７−１９０７６６号公報
【発明の概要】
【発明が解決しようとする課題】
【０００４】
吸引ユニットとワイピングユニットとが一体となったユニットの体積は大きくなる。  
しかしながら、特に、特許文献１で開示されている液滴吐出装置のように、記録がなされた被記録媒体を反転して排出する排出機構を備える記録装置においては、吸引ユニット及びワイピングユニットを収容するスペースが限定される。このため、大きな体積のユニットを収容するためには装置を大型化しなければならない。
【０００５】
また、特に、ラインヘッドを備える記録装置においては、記録速度が速く、記録直後の被記録媒体がカールしやすい。このため、記録直後にカールした被記録媒体が記録装置の構成部材の一部と干渉する虞がある。被記録媒体が記録装置の構成部材の一部と干渉すると、被記録媒体に記録された記録画像にダメージを与える虞があるほか、被記録媒体及び記録装置の構成部材にダメージを与える虞がある。
【０００６】
そこで、本発明の目的は、記録直後にカールした被記録媒体が記録装置の構成部材の一部と干渉することを抑制するとともに、装置を大型化させることなく吸引ユニットとワイピングユニットとを収容可能な記録装置を提供することである。
【課題を解決するための手段】
【０００７】
上記課題を解決するための本発明の第１の態様の記録装置は、被記録媒体を支持面で支持して搬送する搬送機構と、前記支持面に対向する領域に配置され、インク吐出面に設けられたノズルから前記被記録媒体にインクを吐出可能な記録ヘッドと、前記ノズル内のインクを吸引可能な吸引ユニットと、前記吸引ユニットとは別体として設けられ、前記インク吐出面をワイピング可能なワイピングユニットと、を備え、前記吸引ユニット及び前記ワイピングユニットの少なくとも一方は、前記記録ヘッドよりも前記被記録媒体の搬送方向の下流側に備えられているとともに、前記支持面との間隔が前記インク吐出面と前記支持面との間隔よりも広いことを特徴とする。
【０００８】
本態様によれば、前記記録ヘッドよりも前記被記録媒体の搬送方向の下流側に備えられている前記吸引ユニット及び前記ワイピングユニットの少なくとも一方の前記支持面との間隔は広い。このため、記録直後にカールした被記録媒体が記録装置の構成部材の一部と干渉することを抑制することができる。  
また、本態様によれば、吸引ユニットとワイピングユニットとは別体として設けられている。このため、吸引ユニットを吸引ユニットとワイピングユニットとが一体のユニットよりも薄く構成できるとともに、例えば、吸引ユニットを記録ヘッドと支持面との間に移動させる際の記録ヘッドの支持面からの離間距離を短くすることができる。すなわち、装置を大型化させることを抑制できる。なお、ノズル内のインクを吸引するタイミングとインク吐出面をワイピングするタイミングは一般的に異なるが、本態様によれば、吸引ユニットとワイピングユニットとを独立して駆動可能となり、各々の動作の際の駆動の負荷を抑制することもできる。  
なお、「前記記録ヘッドよりも前記被記録媒体の搬送方向下流側」とは、前記インク吐出面を基準にして前記被記録媒体の搬送方向下流側であることを意味する。  
また、吸引ユニットは、記録ヘッドが複数ある場合は各記録ヘッドに対応して複数設けられる吸引キャップの集合体構造と、複数の記録ヘッドに対して単一の吸引キャップにより一纏めで吸引する単一体構造のいずれの構造でもよい意味で使われている。更に、前記吸引キャップの集合体構造の場合、吸引キャップ毎に個別の駆動源で吸引駆動する構造と、各吸引キャップを単一の駆動源により一纏めで吸引駆動する構造のいずれも含む意味で使われている。
【０００９】
本発明の第２の態様の記録装置は、前記第１の態様において、前記吸引ユニット及び前記ワイピングユニットの一方は前記記録ヘッドよりも前記搬送方向の上流側に備えられ、他方は前記記録ヘッドよりも前記搬送方向の下流側に備えられていることを特徴とする。
【００１０】
本態様によれば、前記吸引ユニット及び前記ワイピングユニットの一方を前記搬送方向の上流側に、他方を前記搬送方向の下流側に配置することができる。このため、装置内のスペースを有効活用でき、装置を大型化させることを抑制できる。  
なお、「前記記録ヘッドよりも前記搬送方向の上流側」とは、前記インク吐出面を基準にして前記搬送方向の上流側であることを意味する。また、「前記記録ヘッドよりも前記搬送方向の下流側」とは、前記インク吐出面を基準にして前記搬送方向の下流側であることを意味する。
【００１１】
本発明の第３の態様の記録装置は、前記第１又は第２の態様において、前記搬送機構は、前記被記録媒体を支持可能な無端ベルトを有することを特徴とする。
【００１２】
ここで、「無端ベルト」の具体例として、被記録媒体を剥離可能に付着させる粘着剤を支持面に有する粘着性ベルト及び静電吸着式のベルト等、ベルトに被記録媒体を付着させて被記録媒体を支持するものが挙げられるが、これらに限定されない。  
本態様によれば、無端ベルトに被記録媒体を支持させて該被記録媒体を搬送できる。特に、ベルトに被記録媒体を付着させて被記録媒体を支持するものを用いれば、ベルトに被記録媒体を付着させている間の被記録媒体のカールを抑制することができ、被記録媒体と記録装置の構成部材との干渉を抑制することができる。
【００１３】
本発明の第４の態様の記録装置は、前記第３の態様において、前記記録ヘッドは、前記無端ベルトの前記被記録媒体を搬送する領域に対向する領域内における前記被記録媒体の搬送方向の上流側に配置されていることを特徴とする。
【００１４】
一般的な記録装置においては、被記録媒体が記録ヘッドと対向する位置にある状態では被記録媒体と記録ヘッドとの間隔を一定に保っている。被記録媒体に記録する際、記録開始から記録終了まで被記録媒体と記録ヘッドとの間隔を一定に保つために、被記録媒体の支持面を記録ヘッドに対して被記録媒体の搬送方向下流側に長く設けている記録装置が多い。本態様によれば、特にこのような記録装置において、記録ヘッドに対して被記録媒体の搬送方向下流側の前記支持面に対向するスペースに吸引ユニット及びワイピングユニットの少なくとも一方を配置することが可能になる。すなわち、装置内のスペースを有効活用でき、装置を大型化させることを抑制できる。
【００１５】
本発明の第５の態様の記録装置は、前記第１から第４のいずれか１つの態様において、前記記録ヘッドを前記支持面と接近及び離間する方向に移動可能な第１移動機構と、前記吸引ユニットを移動可能な第２移動機構と、前記ワイピングユニットを移動可能な第３移動機構と、前記ノズル内のインクを吸引する場合、前記記録ヘッドを前記支持面から離間させる方向に移動させるよう前記第１移動機構を制御し、前記吸引ユニットを前記インク吐出面と対向する吸引位置に移動させるよう前記第２移動機構を制御するとともに、前記インク吐出面をワイピングする場合、前記吸引ユニットを前記記録ヘッドの下方に位置させるよう前記第２移動機構を制御し、前記ワイピングユニットを前記インク吐出面と対向する位置に移動させるよう前記第３移動機構を制御する制御部と、を備えることを特徴とする。
【００１６】
ここで、「記録ヘッドを前記支持面と接近及び離間する方向に移動可能」における「移動」とは、本願明細書では、記録ヘッドが支持面に対して移動する構造に限定されず、支持面が記録ヘッドに対して移動する構造、更に記録ヘッドと支持面のいずれもが他方に対して移動する構造を含む意味で使われている。即ち、記録ヘッドと支持面は相対的に接近及び離間する方向に移動可能であるという意味で使われている。  
また、「前記支持面と接近及び離間する方向に移動」における「方向」とは、支持面に対して直交する方向に限定されず、斜め方向の移動も含む意味で使われている。斜め方向の場合は、前記直交方向を基準として４５度以内にするのが好ましい。  
また、「吸引位置」とは、吸引ユニットが記録ヘッドに対してノズル内のインクを吸引する動作を行う位置を意味する。  
また、「前記記録ヘッドの下方」とは、前記記録ヘッドの鉛直方向下側だけでなく、その周辺位置も含む意味であり、前記記録ヘッドから垂れた前記インクの少なくとも一部を受けることが可能な位置である。なお、前記記録ヘッドから垂れた前記インクには、記録ヘッドから直接垂れたインクの他、例えば記録ヘッドからワイピングユニットなど他の部材を介して垂れたインクも含まれる。  
また、「前記ワイピングユニットを前記インク吐出面と対向する位置に移動させる」とは、ワイピングユニットの全部を前記インク吐出面と対向する位置に移動させることの他、ワイピングユニットの一部を前記インク吐出面と対向する位置に移動させることも含む意味である。  
本態様によれば、インク吐出面をワイピングする場合、吸引ユニットを記録ヘッドから垂れたインクを受けることが可能な位置に移動する。このため、被記録媒体の支持面にインクを垂らすことを抑制することができる。
【００１７】
本発明の第６の態様の記録装置は、前記第１から第５のいずれか１つの態様において、前記ワイピングユニットは、ワイピング部材を有し、該ワイピング部材は交換可能であることを特徴とする。
【００１８】
ここで、「ワイピング部材」とは、ワイピングユニットを構成する部材のうちインク吐出面に接触する部材を意味する。  
本態様によれば、ワイピングユニットを構成する部材のうちワイピング部材のみを交換可能であるため、ランニングコストを抑制することができる。ここで、前記ワイピング部材は、吸収部材であることが望ましい。ワイピング中に記録ヘッドからインクが垂れることを抑制することができるためである。
【００１９】
本発明の第７の態様の記録装置は、前記第１から第６のいずれか１つの態様において、前記ノズルから前記インクが吐出されることにより記録がなされた前記被記録媒体を反転して排出する排出機構を備えることを特徴とする。
【００２０】
記録がなされた被記録媒体を反転して排出する排出機構を備える記録装置においては、被記録媒体を反転するための被記録媒体の移動経路を確保するために該排出機構を記録装置の上部に設ける場合が多い。このような記録装置では、記録ヘッドに対して被記録媒体の搬送方向上流側及び下流側の少なくとも一方においてスペースがある場合が多い。本態様によれば、特にこのような記録装置において、該スペースに吸引ユニット及びワイピングユニットの少なくとも一方を配置することができる。すなわち、装置内のスペースを有効活用でき、装置を大型化させることを抑制できる。
【００２１】
本発明の第８の態様の記録装置は、前記第１から第７のいずれか１つの態様において、前記記録ヘッドは、ラインヘッドであることを特徴とする。
【００２２】
記録ヘッドとしてラインヘッドを備える記録装置は、一般的に記録速度が速いため、被記録媒体のカールが発生しやすく、被記録媒体と記録装置の構成部材とが干渉し易い。本態様によれば、記録ヘッドよりも前記搬送方向の下流側に備えられているユニットの前記支持面との間隔は広く構成できるため、記録ヘッドとしてラインヘッドを備えていても、被記録媒体と記録装置の構成部材との干渉を抑制することができる。
【００２３】
ここで、「ラインヘッド」とは、被記録媒体の搬送方向と交差する交差方向に形成されたノズルの領域が、前記被記録媒体の前記交差方向全体をカバー可能なように設けられ、記録ヘッド又は被記録媒体の一方を固定し他方を移動させて画像を形成する記録装置に用いられる記録ヘッドである。なお、ラインヘッドの前記交差方向のノズルの領域は、記録装置が対応している全ての被記録媒体の前記交差方向全体をカバー可能でなくてもよい。
【００２４】
本発明の第９の態様の記録装置は、前記第１から第８のいずれか１つの態様において、前記インクは、水を２０質量％以上７０質量％以下の範囲で含む、ことを特徴とする。
【００２５】
インク中の水の量は被記録媒体のカールの形成に大きな影響を及ぼす。また、環境特性を考慮すると、インク中の水の量は２０質量％以上７０質量％以下の範囲であることが好ましい。本態様によれば、インク中の水の量はこの好ましい範囲に含まれる。
【図面の簡単な説明】
【００２６】
【図１】本発明の実施例に係る記録装置において記録ヘッドと吸引ユニットとワイピングユニットとが夫々ホームポジションに有る状態を表す概略側面図。
【図２】本発明の実施例に係る記録装置において吸引ユニットにより記録ヘッドを吸引している状態を表す概略側面図。
【図３】本発明の実施例に係る記録装置においてワイピングユニットにより記録ヘッドをワイピングしている状態を表す概略側面図。
【図４】本発明の記録装置の実施例を表すブロック図。
【発明を実施するための形態】
【００２７】
［実施例］（図１〜図４）
以下に、本発明の実施例に係る記録装置について、添付図面を参照して詳細に説明する。  
最初に、本発明の実施例に係る記録装置の概要について説明する。なお、本実施例の記録装置は、被記録媒体を支持面で支持して搬送する搬送機構として、静電吸着式の無端ベルトを有する記録装置である。ただし、このような構成に限定されない。  
図１は、本発明の実施例に係る記録装置１において記録ヘッド９と吸引ユニット１２とワイピングユニット１３とが夫々ホームポジションに位置する状態を表す概略側面図である。
【００２８】
本実施例の記録装置１は、記録を行うための被記録媒体Ｐを保持するトレイ２を備えており、被記録媒体Ｐはトレイ２から無端ベルト４まで不図示の搬送ローラー等により搬送経路３を搬送方向Ａに搬送される。搬送経路３を搬送された被記録媒体Ｐは加圧ローラー７により押し当てられて無端ベルト４に付着する。
【００２９】
無端ベルト４の支持面Ｆ１に付着されて支持された被記録媒体Ｐは、搬送方向Ａに搬送されながら、前記支持面Ｆ１に対向する領域に配置され、インク吐出面Ｆ２に設けられたノズルから被記録媒体Ｐにインクを吐出可能なラインヘッドである記録ヘッド９により記録される。そして、搬送経路１４を介してトレイ１５にスタックされる、或いは、搬送経路１６を介してトレイ１７にスタックされる。ここで、搬送経路１６は、記録ヘッド９により記録がなされた被記録媒体Ｐを反転して排出する排出機構の役割を有している。  
記録がなされた被記録媒体Ｐを反転して排出する排出機構を備える記録装置においては、被記録媒体Ｐを反転するための被記録媒体Ｐの移動経路を確保するために該排出機構を記録装置の上部に設ける場合が多い。このような記録装置では、記録ヘッド９に対して被記録媒体Ｐの搬送方向Ａの上流側及び下流側の少なくとも一方においてスペースがある場合が多い。記録ヘッド９の上部の一定範囲に亘り被記録媒体Ｐをスタックするトレイ等が設けられる場合が多く、該トレイ等の下部にスペースが生じる場合が多いためである。このため、該スペースに吸引ユニット１２及びワイピングユニット１３の少なくとも一方を配置することで、該スペースを有効活用でき、装置を大型化させることを抑制できる。本実施例の記録装置１は、該スペースに吸引ユニット１２及びワイピングユニット１３を配置している。  
ここで、「ラインヘッド」とは、被記録媒体Ｐの搬送方向Ａと交差する交差方向に形成されたノズルの領域が、被記録媒体Ｐの前記交差方向全体をカバー可能なように設けられ、記録ヘッド又は被記録媒体Ｐの一方を固定し他方を移動させて画像を形成する記録装置に用いられる記録ヘッドである。なお、ラインヘッドの前記交差方向のノズルの領域は、記録装置が対応している全ての被記録媒体の前記交差方向全体をカバー可能でなくてもよい。
【００３０】
なお、無端ベルト４に被記録媒体Ｐを付着させて被記録媒体Ｐを支持するものを用いれば、無端ベルト４に被記録媒体Ｐを付着させている間の被記録媒体Ｐのカールを抑制することができ、被記録媒体Ｐと記録装置１の構成部材との干渉を抑制することができるので好ましい。また、無端ベルト４の別の例として、被記録媒体を剥離可能に付着させる粘着剤を支持面Ｆ１に有する粘着性ベルトなどがあり、これも好ましく使用できる。
【００３１】
本実施例の記録装置１は、ブラックインク、シアンインク、マゼンタインク及びイエローインクで記録可能な構成となっている。そして、記録ヘッド９には、ブラックインクに対応した記録ヘッド９ａと、シアンインクに対応した記録ヘッド９ｂと、マゼンタインクに対応した記録ヘッド９ｃと、イエローインクに対応した記録ヘッド９ｄとが設けられている。なお、各記録ヘッド９ａから９ｄにおいて、無端ベルト４に対向する面は、インクを吐出するノズルが設けられたインク吐出面Ｆ２である。すなわち、本実施例の記録装置１では、インクは複数の色のインクで構成され、記録ヘッド９は前記複数の色毎に設けられている。
【００３２】
本実施の形態に係るインク組成物には色材が含まれる。色材としては、染料、顔料のいずれであってもよい。
【００３３】
染料としては、直接染料、酸性染料、食用染料、塩基性染料、反応性染料、分散染料、建染染料、可溶性建染染料、反応分散染料等のインクジェット記録に使用可能な各種染料が挙げられる。
【００３４】
顔料としては、特に制限されず、無機顔料、有機顔料を使用することができる。ブラックインク用の無機顔料としては、酸化チタンおよび酸化鉄に加え、ファーネスブラック、ランブブラック、アセチレンブラック、チャネルブラック等のカーボンブラック（Ｃ．Ｉ．ピグメントブラック７）類が挙げられる。ブラックインク用の有機顔料としては、アニリンブラック（Ｃ．Ｉ．ピグメントブラック１）等の黒色有機顔料が挙げられる。
【００３５】
イエローインク用の顔料としては、Ｃ．Ｉ．ピグメントイエロー１（ハンザイエロー）、３（ハンザイエロー１０Ｇ）、１２、１３、１４、１７、２４（フラバントロンイエロー）、３４、３５、３７、５３、５５、６５、７３、７４、８１、８３、９３、９４、９５、９７、９８、９９、１０８（アントラピリミジンイエロー）、１０９、１１０、１１３、１１７（銅錯塩顔料）、１２０、１２８、１３３（キノフタロン）、１３８、１３９（イソインドリノン）、１４７、１５１、１５３（ニッケル錯体顔料）、１５４、１５５、１６７、１７２、１８０、１８５、２１３、ＷＯ２０１１／０２７８４２の（化１）に記載の顔料等が挙げられる。
【００３６】
マゼンタインク用の顔料としては、Ｃ．ｌ．ピグメントレッド１（パラレッド）、２、３（トルイジンレッド）、５（ｌＴＲ  Ｒｅｄ）、７、９、１０、１１、１２、１７、３０、３１、３８（ピラゾロンレッド）、４２、８８（チオインジゴ）、１１２（ナフトールＡＳ系）、１１４（ナフトールＡＳ系）、１２２（ジメチルキナクリドン）、１２３、１４４、１４９、１５０、１６６、１６８（アントアントロンオレンジ）、１７０（ナフトールＡＳ系）、１７１、１７５、１７６、１７７、１７８、１７９（ベリレンマルーン）、１８５、１８７、２０９（ジクロロキナクリドン）、２１９、２２４（ベリレン系）、２４５（ナフトールＡＳ糸）、又は、Ｃ．Ｉ．ピグメントバイオレット１９（キナクリドン）、２３（ジオキサジンバイオレット）、３２、３３、３６、３８、４３、５０等が挙げられる。
【００３７】
１．１．２．樹脂  
本実施の形態に係るインク組成物は、樹脂粒子を含有してもよい。インク組成物に樹脂粒子を含有させることにより、被記録媒体上に耐擦性に優れた画像を形成することができる。特に本実施の形態に係るインク組成物には、該樹脂粒子は微粒子状態（すなわち、エマルジョン状態またはサスペンジョン状態）で含有されていることが好ましい。樹脂粒子を微粒子状態で含有することにより、インク組成物の粘度をインクジェット記録方式において適正な範囲に調整しやすく、また保存安定性・吐出安定性を確保しやすい。
【００３８】
樹脂粒子としては、たとえば樹脂皮膜を形成し被記録媒体上に定着させる効果を持つポリマー粒子が挙げられる。このような効果を持つポリマー粒子を構成する成分としては、たとえばポリアクリル酸エステルもしくはその共重合体、ポリメタクリル酸エステルもしくはその共重合体、ポリアクリロニトリルもしくはその共重合体、ポリシアノアクリレート、ポリアクリルアミド、ポリアクリル酸、ポリメタクリル酸、ポリエチレン、ポリプロピレン、ポリブテン、ポリイソブチレン、ポリスチレンもしくはそれらの共重合体、石油樹脂、クロマン・インデン樹脂、テルペン樹脂、ポリ酢酸ビニルもしくはその共重合体、ポリビニルアルコール、ポリビニルアセタール、ポリビニルエーテル、ポリ塩化ビニルもしくはその共重合体、ポリ塩化ビニリデン、フッ素樹脂、フッ素ゴム、ポリビニルカルバゾール、ポリビニルピリジン、ポリビニルイミダゾール、ポリブタジエンもしくはその共重合体、ポリクロロプレン、ポリイソプレン、天然樹脂等が挙げられる。この中で、特に分子構造中に疎水性部分と親水性部分とを併せ持つものが好ましい。
【００３９】
樹脂粒子を含有する場合には、その含有量が、インク組成物の全質量に対して、０．５質量％以上１０質量％以下であることが好ましい。樹脂粒子の含有量が前記範囲にあると、被記録媒体上でのインク組成物の固化・定着を促進できる。
【００４０】
（水）  
水は、イオン交換水、限外濾過水、逆浸透水、蒸留水等の純水または超純水を用いることが好ましい。水の量はカールの形成にも大きな影響を及ぼす事、環境特性を考慮し、２０質量％以上７０質量％以下にすることが好ましく、３０質量％以上６５質量％以上にすることが更に好ましい。
【００４１】
（水溶性有機溶剤）  
水溶性有機溶剤としては、例えば、多価アルコール類、ピロリドン誘導体、グリコールエーテル等が挙げられる。水溶性有機溶剤は、１種単独で用いてもよいし、２種以上組み合わせて用いてもよい。
【００４２】
多価アルコール類としては、エチレングリコール、ジエチレングリコール、トリエチレングリコール、ポリエチレングリコール、ポリプロピレングリコール、ジプロピレングリコール、プロピレングリコール、ブチレングリコール、１，２−ブタンジオール、１，２−ペンタンジオール、１，５−ペンタンジオール、１，２−ヘキサンジオール、２−エチル−１，３−ヘキサンジオール、１，６−ヘキサンジオール、１，２−ヘプタンジオール、１，２−オクタンジオール、１，２，６−ヘキサントリオール、チオグリコール、ヘキシレングリコール、グリセリン、トリメチロールエタン、トリメチロールプロパン等が挙げられる。これらの多価アルコールは、インク組成物をインクジェット記録装置のノズル孔から吐出させる場合に、ノズル孔の目詰まりを低減させる効果がある。
【００４３】
ピロリドン誘導体としては、例えば、Ｎ−メチル−２−ピロリドン、Ｎ−エチル−２−ピロリドン、Ｎ−ビニル−２−ピロリドン、２−ピロリドン、５−メチル−２−ピロリドン等が挙げられる。
【００４４】
グリコールエーテル類としては、例えば、トリエチレングリコールモノブチルエーテル、ジエチレングリコールモノブチルエーテル、ジプロピレングリコールプロピルエーテル、ジエチレングリコールジエチルエーテル、ペンタエチレングリコールモノブチルエーテル等が挙げられる。
【００４５】
（界面活性剤）  
界面活性剤は、樹脂インク組成物の表面張力および、インク組成物と接触するノズル等のプリンター部材との界面張力を適正に保つことができる。したがって、これをインクジェット記録装置に用いた場合、吐出安定性を高めることができる。また、記録媒体上で均一に濡れ拡げる効果を有する。
【００４６】
このような効果を有する界面活性剤としては、ノニオン系界面活性剤であることが好ましい。ノニオン系界面活性剤の中でも、フッ素系界面活性剤、シリコン系界面活性剤、アセチレングリコール系界面活性剤のなから選択される少なくとも一種を用いることがより好ましい。なお、上記以外の界面活性剤として、アニオン界面活性剤、ノニオン界面活性剤、両性界面活性剤等をさらに添加してもよい。
【００４７】
また、本願発明のインク組成物は、炭素数５又は６の１，２−アルカンジオールを実質的に含まないことが好ましい。このような有機溶剤は、吐出されたインク滴を分裂させる傾向にあり、ミストがより多く発生する傾向にある。よって、水蒸気を極力少なくするため本願発明のインク組成物には実質的に含ませないことが好ましい。
【００４８】
本発明において、「色実質的に含まない」とは、インク組成物を製造する際に色剤を意図的に添加しない、又は、添加する意義を十分に発揮しない程度の量以上を含有させない場合等を含む。よって、インク組成物を製造中又は保管中に不可避的に混入又は発生する微量の色剤を含んでいても構わない。一例としては、「実質的に含まない」の具体例としては、たとえば１．０質量％以上含まない、好ましくは０．５質量％以上含まない、より好ましくは０．１質量％以上含まない、さらに好ましくは０．０５質量％以上含まない、特に好ましくは０．０１質量％以上含まないことである。
【００４９】
なお、本実施例の記録装置１で使用されるインクは、２５℃環境下において、表面張力が２５ｍＮ／ｍ以上６０ｍＮ／ｍ以下である。より好ましくは２８ｍＮ／ｍ以上３８ｍ／ｍ以下である。また、粘度が１．６ｍＰａ・s以上２０ｍＰａ・ｓ以下である。より好ましくは１．８ｍＰａ・ｓ以上８ｍＰａ・ｓ以下である。  
また、本実施例の記録ヘッド９におけるインク吐出面Ｆ２の構成材料はシリコンであるが、ステンレスやプラスチックなども好ましく使用することができる。そして、該インク吐出面Ｆ２における上記各インクの接触角は５０°以上である。またインク吐出面Ｆ２の構成材料にはフッ素系材料（例えばフッ化アルキルシラン）等を用いた撥インク膜が形成されていると好ましい。
【００５０】
このような条件を満たすインク及びインク吐出面Ｆ２を用いることによって、安定的にインクを吐出することが可能になるものの、ワイピング中に被記録媒体Ｐの支持面Ｆ１にインクを垂らすという課題を発生させやすい。このため、本発明は、このような条件を満たすインク及びインク吐出面Ｆ２を用いる記録装置において特に被記録媒体Ｐの支持面Ｆ１にインクを垂らすことを抑制する効果を発揮する。
【００５１】
このような条件を満たすインクを用いることによって、安定的にインクを吐出することが可能になるものの、記録直後の被記録媒体Ｐのカールは発生しやすい。このため、本発明は、このような条件を満たすインクを用いる記録装置において特に記録直後にカールした被記録媒体Ｐが記録装置の構成部材の一部と干渉することを抑制する効果を発揮する。  
なお、記録直後の被記録媒体Ｐのカールの発生による被記録媒体Ｐとノズル内のインクを吸引可能な吸引ユニット１２との干渉をより効果的に抑制するため、吸引ユニット１２を被記録媒体Ｐの支持面Ｆ１と交差する方向に移動可能な構成としてもよい。さらに、吸引ユニット１２とは別体として設けられ、前記インク吐出面Ｆ２をワイピング可能なワイピングユニット１３を被記録媒体Ｐの支持面Ｆ１と交差する方向に移動可能な構成としてもよい。なお、被記録媒体Ｐの代表例としては、普通紙、塗工紙に代表される紙を用いた記録媒体である。
【００５２】
また、本実施例の記録装置１は、ブラックインク、シアンインク、マゼンタインク及びイエローインクで記録可能なラインヘッドを備える記録装置であるが、このような構成に限定されない。記録ヘッド９を往復走査させて記録する記録装置としてもよいし、その他の色のインクを使用可能な記録装置としてもよい。
【００５３】
なお、記録ヘッド９としてラインヘッドを備える記録装置は、一般的に記録速度が速いため、被記録媒体Ｐのカールが発生しやすく、被記録媒体Ｐと記録装置の構成部材とが干渉し易い。本実施例の記録装置１は、後述のように、記録ヘッド９よりも被記録媒体Ｐの搬送方向Ａの下流側に備えられている吸引ユニット１２と支持面Ｆ１との間隔Ｓ２を、記録ヘッド９と支持面Ｆ１との間隔Ｓ１よりも広く構成している。このため、記録ヘッド９としてラインヘッドを備えていて前記カールが生じやすいものであっても、被記録媒体Ｐと記録装置１の構成部材との干渉を抑制することができる構成になっている。
【００５４】
また、記録ヘッド９としてラインヘッドを備える記録装置は、支持面Ｆ１に対向する位置から記録ヘッド９を移動させることが困難であるため、記録ヘッド９から前記支持面Ｆ１にインクを垂らしてしまう虞が生じる。本実施例の記録装置１は、後述のように、インク吐出面Ｆ２をワイピングする場合、吸引ユニット１２を記録ヘッド９から垂れたインクを受けることが可能な位置に移動する。このため、記録ヘッド９としてラインヘッドを備えていても、前記支持面Ｆ１にインクを垂らすことを抑制することができる構成になっている。
【００５５】
本実施例の記録装置１における搬送機構は、帯電ローラー８により静電吸着式の無端ベルト４を帯電させ、該無端ベルト４をローラー５、６により回転させて被記録媒体Ｐを搬送する構成である。本実施例の記録装置１では、記録ヘッド９は、無端ベルト４の被記録媒体Ｐを搬送する領域に対向する領域内における搬送方向Ａの上流側に配置されている。
【００５６】
一般的な記録装置においては、被記録媒体Ｐが記録ヘッド９と対向する位置にある状態では被記録媒体Ｐと記録ヘッド９との間隔を一定に保っている。被記録媒体Ｐに記録する際、記録開始から記録終了まで被記録媒体Ｐと記録ヘッド９との間隔を一定に保つために、被記録媒体Ｐの支持面Ｆ１を記録ヘッド９に対して被記録媒体Ｐの搬送方向Ａの下流側に長く設けている記録装置が多い。このため、記録ヘッド９に対して被記録媒体Ｐの搬送方向Ａの下流側の前記支持面Ｆ１に対向するスペースに吸引ユニット１２及びワイピングユニット１３の少なくとも一方を配置することで装置内のスペースを有効活用でき、装置を大型化させることを抑制できる。  
本実施例の記録装置１は、記録ヘッド９に対して被記録媒体Ｐの搬送方向Ａの下流側の前記支持面Ｆ１に対向するスペースに吸引ユニット１２を配置している。
【００５７】
また、本実施例の記録装置１は、記録ヘッド９の搬送方向Ａの上流側にワイピング部材Ｗを備えたワイピングユニット１３を備え、記録ヘッド９の搬送方向Ａの下流側に吸引ユニット１２を備えている。このような構成により記録装置１内のスペースを有効活用し、記録装置１を小型化している。このように、記録装置１内のスペースを有効活用し、記録装置１を小型化するためには、吸引ユニット１２及びワイピングユニット１３の少なくとも一方が、記録ヘッド９よりも無端ベルト４の被記録媒体Ｐを搬送する領域に対向する領域内における搬送方向の下流側に配置されていることが好ましい。さらに、吸引ユニット１２及びワイピングユニット１３の一方が上流側で他方が下流側に配置されていることがさらに好ましい。  
ここで、「ワイピング部材」とは、ワイピングユニット１３を構成する部材のうちインク吐出面Ｆ２に接触する部材を意味する。
【００５８】
ただし、吸引ユニット１２とワイピングユニット１３とが別体で構成されていれば特に限定されない。吸引ユニット１２とワイピングユニット１３とが別体で構成されていればこれらを薄く構成することが可能になり、記録装置１の小型化が可能だからである。特に、布帛に代表される吸収部材をワイピング部材Ｗに使用した場合、吸収部材を移動させるリール機構、使用前又は使用後の吸収部材によって形成される吸収部材ロール等のように機構が大型化される傾向があり、吸引ユニット１２とワイピングユニット１３を一体化させてしまうと機構が複雑になり、別体として構成した場合よりも大型化する可能性があり、これらは別体として構成すべきである。
【００５９】
なお、吸引ユニット１２とワイピングユニット１３とを別体で構成することで、吸引ユニット１２を記録ヘッド９と無端ベルト４の支持面Ｆ１との間に移動させる際の記録ヘッド９の支持面Ｆ１からの離間距離を短くすることもできる。さらに、吸引ユニット１２とワイピングユニット１３とを独立して駆動可能となり、各々の動作の際の駆動の負荷を抑制することもできる。
【００６０】
本実施例のワイピング部材Ｗは、吸収部材である布で構成されており、ユニットごと交換可能な構成である。このため、ワイピング中に記録ヘッドからインクが垂れることによる不具合を抑制することができるとともに、ワイピングユニット１３を構成する部材のうちワイピング部材Ｗのみを交換可能であるためランニングコストを抑制することができる。ただし、このような構成に限定されず、例えば、弾性部材で構成されるワイパーブレードであってもよい。なお、本実施例のワイピング部材Ｗは吸収部材であるため、ワイピング中に記録ヘッド９からインクが垂れることを抑制する効果が高いが、このような構成に限定されない。  
また、ワイピングユニット１３は、インクの色毎にインク吐出面Ｆ２をワイピング可能な構成となっている。すなわち、ワイピングユニット１３を小型化している。このため、記録装置１を大型化させることを抑制している。
【００６１】
本実施例の吸引ユニット１２には、記録ヘッド９ａから９ｄに対応してキャップ１２ａから１２ｄが設けられており、不図示のポンプにより一体的に吸引する。すなわち、吸引ユニット１２は、記録ヘッド９ａから９ｄのノズル内のインクを一体的に吸引可能である。このため、吸引の際の吸引ユニット１２の移動回数を抑制でき移動負荷を抑制している。
【００６２】
なお、本実施例の記録装置１は、吸引ユニット１２と無端ベルト４の被記録媒体Ｐの支持面Ｆ１との間隔Ｓ２は、インク吐出面Ｆ２と該支持面Ｆ１との間隔Ｓ１よりも広い。すなわち、記録ヘッド９よりも被記録媒体Ｐの搬送方向Ａの下流側に備えられている吸引ユニット１２における支持面Ｆ１との間隔Ｓ２は、インク吐出面Ｆ２と支持面Ｆ１との間隔Ｓ１よりも広い。このため、支持面Ｆ１との間隔Ｓ２が広くなるよう配置された吸引ユニット１２と被記録媒体Ｐとが干渉することを抑制している。  
また、相対湿度７０％ＲＨ以上の環境下で使用可能であり、無端ベルト４に接触させて被記録媒体Ｐを搬送させる記録装置１であればなお好ましい。無端ベルト４の支持面Ｆ１と吸引ユニット１２及びワイピングユニット１３の少なくとも一方との間隔が極端に狭いと、水蒸気が微小な空間に残留し水滴となって無端ベルト４の被記録媒体Ｐの搬送力が低下してしまう。この現象は、帯電手段によって交流電圧を印加され、無端ベルト４にベルト移動方向に沿ってプラス帯電領域とマイナス帯電領域とが交互に形成される、記録装置であればより顕著に発生する。  
しかし、この場合であっても、間隔Ｓ２を広くする本願発明であれば搬送力の低下を抑える事が可能である。
【００６３】
また、被記録媒体Ｐの搬送方向Ａの上流側及び下流側の位置に関わらず、吸引ユニット１２及びワイピングユニット１３の少なくとも一方と支持面Ｆ１との間隔は、間隔Ｓ１よりも広いことが好ましい。支持面Ｆ１との間隔が広くなるよう配置された吸引ユニット１２及びワイピングユニット１３の少なくとも一方と被記録媒体Ｐとが干渉することを抑制することができるためである。特に、例えば、吸引ユニット１２の代わりにワイピングユニット１３を記録ヘッド９よりも搬送方向Ａの下流側に設けた記録装置においては、ワイピングユニット１３と前記支持面Ｆ１との間隔を、前記インク吐出面Ｆ２と前記支持面Ｆ１との間隔よりも広くする構成が好ましい。
【００６４】
なお、本実施例の記録装置１では、ワイピングユニット１３は、記録ヘッド９の移動方向（方向Ｚ）において吸引ユニット１２よりも前記支持面Ｆ１から離間した位置に設けられている。すなわち、吸引ユニット１２がワイピングユニット１３より鉛直方向において下側に配置されている。  
少なくともワイピングをしていない状態において、このような構成となっていることにより、ワイピングを行う場合に、第２移動機構１９は吸引ユニット１２を、第３移動機構２０はワイピングユニット１３を、夫々水平方向に移動させれば済むので、第２移動機構１９及び第３移動機構２０を簡易なものにすることができる。  
また、ワイピング部材Ｗが交換可能である場合には、特に、記録装置の上面又はワイピング部材Ｗより上方に位置する記録装置側面を開閉させて該ワイピング部材Ｗを交換する記録装置においてワイピング部材Ｗを交換しやすい。また、例えば、フラッシングを吸引ユニット１２に設けられた吸引キャップ（キャップ１２ａから１２ｄ）に行う場合、記録ヘッド９と吸引キャップの操作が簡易に済む。
【００６５】
本実施例の記録ヘッド９には、ラック１０が設けられ、ピニオン１１を回転させることにより前記支持面Ｆ１と交差する方向（記録ヘッド９を前記支持面Ｆ１と接近及び離間する方向）である方向Ｚに移動可能である。該ラック１０及びピニオン１１は第１移動機構１８（図４参照）を構成している。また、本実施例の吸引ユニット１２は第２移動機構１９（図４参照）により、記録ヘッド９の移動方向（方向Ｚ）と交差する方向である方向Ｙに移動可能である。さらに、本実施例のワイピングユニット１３は第３移動機構２０（図４参照）により、記録ヘッド９の移動方向（方向Ｚ）と交差する方向である方向Ｙに移動可能である。そして、第３移動機構２０はワイピングユニット１３をラインヘッドの長手方向に沿う方向Ｘに移動可能であり、記録装置１はインクの色毎にワイピング可能な構成となっている。  
なお、第２移動機構１９による吸引ユニット１２の移動方向及び第３移動機構２０によるワイピングユニット１３の移動方向は特に限定されない。また、第１移動機構１８、第２移動機構１９、第３移動機構２０はどのような機構であっても良い。  
ここで、「（記録ヘッド９を前記支持面Ｆ１と接近及び離間する方向）である方向Ｚに移動可能」における「移動」とは、本願明細書では、記録ヘッド９が支持面Ｆ１に対して移動する構造に限定されず、支持面Ｆ１が記録ヘッド９に対して移動する構造、更に記録ヘッド９と支持面Ｆ１のいずれもが他方に対して移動する構造を含む意味で使われている。即ち、記録ヘッド９と支持面Ｆ１は相対的に接近及び離間する方向に移動可能であるという意味で使われている。  
また、「記録ヘッド９を前記支持面Ｆ１と接近及び離間する方向」における「方向」とは、支持面Ｆ１に対して直交する方向に限定されず、斜め方向の移動も含む意味で使われている。斜め方向の場合は、前記直交方向を基準として４５度以内にするのが好ましい。
【００６６】
次に、吸引ユニット１２による記録ヘッド９の吸引時の、記録ヘッド９及び吸引ユニット１２の位置関係について説明する。  
図２は、本実施例の記録装置１において吸引ユニット１２により記録ヘッド９を吸引している状態を表す概略側面図である。
【００６７】
吸引ユニット１２による記録ヘッド９の吸引時において、記録ヘッド９は、ラック１０及びピニオン１１により無端ベルト４の被記録媒体Ｐの支持面Ｆ１との間隔が広くなる方向に移動する。そして、記録ヘッド９の移動に伴って、吸引ユニット１２は第２移動機構１９により方向Ｙに、記録ヘッド９と前記支持面Ｆ１との間の吸引位置まで移動する。そして、記録ヘッド９ａから９ｄがキャップ１２ａから１２ｄと合うように、記録ヘッド９を下降させて、記録ヘッド９と吸引ユニット１２とを接触させる。  
ここで、「吸引位置」とは、吸引ユニット１２が記録ヘッド９に対してノズル内のインクを吸引する動作を行う位置を意味する。  
また、吸引ユニット１２は、記録ヘッド９が複数ある場合は各記録ヘッド（例えば記録ヘッド９ａから９ｄ）に対応して複数設けられる吸引キャップ（例えばキャップ１２ａから１２ｄ）の集合体構造と、複数の記録ヘッド９に対して単一の吸引キャップ１２により一纏めで吸引する単一体構造のいずれの構造でもよい意味で使われている。更に、前記吸引キャップ１２ａから１２ｄの集合体構造の場合、吸引キャップ１２ａから１２ｄ毎に個別の駆動源で吸引駆動する構造と、各吸引キャップ１２ａから１２ｄを単一の駆動源により一纏めで吸引駆動する構造のいずれも含む意味で使われている。  
また、「吸引ユニット１２は、記録ヘッド９と前記支持面Ｆ１との間の吸引位置まで移動」における「間」とは、前記インク吐出面Ｆ２と前記支持面Ｆ１との間を意味する。即ち、該「間」は、記録ヘッド９の全構成部材を基準として決まるものではない。
【００６８】
なお、吸引ユニット１２による記録ヘッド９の吸引時におけるこのような制御は制御部２１（図４参照）の制御により行われる。別の表現をすると、制御部２１は、ノズル内のインクを吸引する場合、記録ヘッド９を前記支持面Ｆ１から離間させる方向に移動させるよう第１移動機構１８を制御し、吸引ユニット１２を記録ヘッド９と前記支持面Ｆ１との間（インク吐出面Ｆ２と対向する吸引位置）に移動させるよう第２移動機構１９を制御する。
【００６９】
次に、ワイピングユニット１３による記録ヘッド９のワイピング時の、記録ヘッド９、吸引ユニット１２及びワイピングユニット１３の位置関係について説明する。  
図３は、本実施例の記録装置１においてワイピングユニット１３により記録ヘッド９をワイピングしている状態を表す概略側面図である。
【００７０】
ワイピングユニット１３による記録ヘッド９のワイピング時において、記録ヘッド９は、ラック１０及びピニオン１１により無端ベルト４の被記録媒体Ｐの支持面Ｆ１との間隔が広くなる方向に移動する。そして、記録ヘッド９の移動に伴って、吸引ユニット１２は第２移動機構１９により方向Ｙに、記録ヘッド９と前記支持面Ｆ１との間の位置まで移動する。別の表現をすると、吸引ユニット１２は記録ヘッド９の下方（記録ヘッド９から垂れたインクの少なくとも一部を受けることが可能な位置）に移動する。そして、ワイピングユニット１３は第３移動機構２０により方向Ｙに、記録ヘッド９と吸引ユニット１２との間のワイピング位置（前記インク吐出面Ｆ２と対向する位置）に移動する。  
ここで、「記録ヘッド９の下方」とは、記録ヘッド９の鉛直方向下側だけでなく、その周辺位置も含む意味であり、記録ヘッド９から垂れた前記インクの少なくとも一部を受けることが可能な位置である。なお、記録ヘッド９から垂れた前記インクには、記録ヘッド９から直接垂れたインクの他、例えば記録ヘッド９からワイピングユニット１３など他の部材を介して垂れたインクも含まれる。  
また、「記録ヘッド９と吸引ユニット１２との間のワイピング位置に移動」における「間」とは、前記インク吐出面Ｆ２と記録ヘッド９の下方に位置する状態の吸引ユニット１２の前記インク吐出面Ｆ２と対向する部分との間を意味する。即ち、該「間」は、記録ヘッド９の全構成部材と吸引ユニット１２の全構成部材を基準として決まるものではない。  
また、「ワイピング位置」とは、ワイピングユニット１３が前記インク吐出面Ｆ２のワイピング動作を行う位置を意味する。
【００７１】
なお、ワイピングユニット１３による記録ヘッド９のワイピング時におけるこのような制御は、制御部２１の制御により行われる。別の表現をすると、制御部２１は、インク吐出面Ｆ２をワイピングする場合、吸引ユニット１２を記録ヘッド９から垂れたインクを受けることが可能な位置（記録ヘッド９の下方）に移動させるよう前記第２移動機構１９を制御するとともに、ワイピングユニット１３を記録ヘッド９と吸引ユニット１２との間（前記インク吐出面Ｆ２と対向する位置）に移動させるよう第３移動機構２０を制御する。  
ここで、「ワイピングユニット１３を前記インク吐出面Ｆ２と対向する位置に移動させる」とは、ワイピングユニット１３の全部を前記インク吐出面Ｆ２と対向する位置に移動させることの他、ワイピングユニット１３の一部を前記インク吐出面Ｆ２と対向する位置に移動させることも含む意味である。
【００７２】
本実施例の記録装置１は、このような簡単な構成により、被記録媒体Ｐの支持面Ｆ１にインクを垂らすことを抑制している。また、吸引ユニット１２による記録ヘッド９の吸引に引き続きワイピングユニット１３による記録ヘッド９のワイピングが行われる場合、図２の状態から図３の状態へ移行する。  
すなわち、前記ノズル内のインクを吸引し且つ前記インク吐出面Ｆ２をワイピングする場合、制御部２１は、第１移動機構１８を制御して記録ヘッド９を前記支持面Ｆ１から離間させ、第２移動機構２０を制御して吸引ユニット１２を記録ヘッド９と前記支持面Ｆ１との間の吸引位置に移動させる。そして、該吸引ユニット１２による吸引動作が実行された後、第１移動機構１８を制御して記録ヘッド９を吸引ユニット１２から離間させ、第３移動機構２０を制御してワイピングユニット１３を記録ヘッド９と吸引ユニット１２との間のワイピング位置に移動させる。  
本実施例の記録装置１は、このような簡単な構成で、吸引ユニット１２を記録ヘッド９と支持面Ｆ１との間及び記録ヘッド９から垂れたインクを受けることが可能な位置に移動させることができる。
【００７３】
次に、本実施例の記録装置１における電気的な構成について説明する。  
図４は、本実施例の記録装置１のブロック図である。  
制御部２１には、記録装置１の全体の制御を司るＣＰＵ２２が設けられている。ＣＰＵ２２は、システムバス２３を介して、ＣＰＵ２２が実行する各種制御プログラム等を格納したＲＯＭ２４と、データを一時的に格納可能なＲＡＭ２５と接続されている。また、ＣＰＵ２２は、システムバス２３を介して、記録ヘッド９を駆動するためのヘッド駆動部２６と接続されている。
【００７４】
また、ＣＰＵ２２は、システムバス２３を介して、第１移動機構１８、第２移動機構１９、第３移動機構２０及び搬送モーター２８を駆動させるためのモーター駆動部２７と接続されている。ここで、搬送モーター２８は、ローラー５、６及び不図示の搬送経路３、１６等に設けられた搬送ローラーを駆動するためのモーターである。  
さらに、ＣＰＵ２２は、記録装置１に設けられたモニター３１及びコントロールパネル３２と、並びに、記録データ等をＰＣ等の外部装置から入力する等のためのインターフェース３０と、データ及び信号の送受信を行うための入出力部２９と接続されている。  
このような構成により、制御部２１は、第１移動機構１８、第２移動機構１９及び第３移動機構２０の移動動作等を制御する。
【符号の説明】
【００７５】
１  記録装置、２  トレイ、３  搬送経路、４  無端ベルト、５  ローラー、
６  ローラー、７  加圧ローラー、８  帯電ローラー、９、９ａ〜９ｄ  記録ヘッド、
１０  ラック、１１  ピニオン、１２、１２ａ〜１２ｄ  吸引ユニット、
１３  ワイピングユニット、１４  搬送経路、１５  トレイ、１６  搬送経路、
１７  トレイ、１８  第１移動機構、１９  第２移動機構、２０  第３移動機構、
２１  制御部、２２  ＣＰＵ、２３  システムバス、２４  ＲＯＭ、２５  ＲＡＭ、
２６  ヘッド駆動部、２７  モーター駆動部、２８  搬送モーター、２９  入出力部、
３０  インターフェース、３１  モニター、３２  コントロールパネル、
Ｆ１  支持面、Ｆ２  インク吐出面、Ｐ  被記録媒体、
Ｓ１  インク吐出面と無端ベルト４の被記録媒体Ｐの支持面Ｆ１との間隔、
Ｓ２  吸引ユニット１２と無端ベルト４の被記録媒体Ｐの支持面Ｆ１との間隔、
Ｗ  ワイピング部材
【図１】
2014184696.tif 000003
【図２】
2014184696.tif 000004
【図３】
2014184696.tif 000005
【図４】
2014184696.tif 000006